【手続補正書】
【提出日】平成22年11月8日(2010.11.8)
【手続補正１】
【補正対象書類名】明細書
【補正対象項目名】０１０１
【補正方法】変更
【補正の内容】
【０１０１】
したがって、本発明は、前述した特定の実施例だけに限定されると考えるべきではなく、むしろ、特許請求の範囲で公正に記載される本発明のすべての態様に及ぶものと理解すべきである。本明細書を検討すれば、本発明を適用可能なさまざまな変更例、均等なプロセス、多数の構造を本発明に関連する当業者には容易に明らかになろう。特許請求の範囲はこのような修正及び装置を網羅しようとするものである。
以下に、本願発明に関連する発明の実施形態について列挙する。
［実施形態１］
微小共振器の２つの導波光学モードの間の光散乱の検出方法であって、
光源と、
１つ以上のバス導波路であって、前記光源と光通信する入力ポートを有する第１のバス導波路を備える前記１つ以上のバス導波路と、
前記１つ以上のバス導波路に光結合した微小共振器と
を備える光学的検知システムを提供する工程と、
前記微小共振器の少なくとも第１共振導波光学モードを前記光源で励起させる工程と、
前記微小共振器の第１共振導波光学モードから少なくとも第２導波光学モードへの光散乱における変化を誘発する工程であって、前記第２モードが前記第１モードとは異なる工程と、
光散乱における変化を検出する工程とを含む、方法。
［実施形態２］
前記微小共振器が、垂直結合によって１つ以上のバス導波路に光結合される、実施形態１に記載の方法。
［実施形態３］
前記微小共振器が、横結合によって１つ以上のバス導波路に光結合される、実施形態１に記載の方法。
［実施形態４］
前記微小共振器が、エバネッセント結合によって１つ以上のバス導波路に光結合される、実施形態１に記載の方法。
［実施形態５］
前記微小共振器が、コア結合によって１つ以上のバス導波路に光結合される、実施形態１に記載の方法。
［実施形態６］
前記微小共振器が、多モード干渉結合器によって１つ以上のバス導波路に光結合される、実施形態１に記載の方法。
［実施形態７］
前記微小共振器が、リング、ディスク、又はレーストラックである、実施形態１に記載の方法。
［実施形態８］
前記光散乱における変化を検出する工程が、前記入力ポートで第２モードを検出することを含む、実施形態１に記載の方法。
［実施形態９］
前記光散乱における変化を検出する工程が、
光サーキュレータを前記入力ポートと光通信するように配置することを含み、前記光サーキュレータが、前記第２モードの検出器との光結合を可能にする、実施形態８に記載の方法。
［実施形態１０］
前記光散乱における変化を検出する工程が、
光スプリッタを前記入力ポートと光通信するように配置することを含み、前記光スプリッタが、前記第２モードの検出器との光結合を可能にする、実施形態８に記載の方法。
［実施形態１１］
前記１つ以上のバス導波路が、ドロップポート及びドロップ２ポートを有する第２のバス導波路を更に含み、前記ドロップポートが、主に前記第１の導波光学モードに光結合可能であり、前記ドロップ２ポートが、主に前記第２の導波光学モードに光結合可能であり、
前記光散乱における変化を検出する工程が、前記ドロップ２ポートで前記第２の導波光学モードを検出することを含む、実施形態１に記載の方法。
［実施形態１２］
前記第１モードと前記第２モードとの間の光散乱における変化を検出する工程が、前記微小共振器の中心で誘発散乱を検出することを含む、実施形態１に記載の方法。
［実施形態１３］
前記第１導波光学モードから前記第２導波光学モードへの光散乱における変化を誘発する工程が、
散乱中心と前記微小共振器との間の光結合の強度の変化を更に含む、実施形態１に記載の方法。
［実施形態１４］
前記散乱中心と前記微小共振器との間の光結合の強度を変化させる工程が、
前記散乱中心と前記微小共振器との間の光結合を高めることを更に含む、実施形態１３に記載の方法。
［実施形態１５］
散乱中心と前記微小共振器との間の光結合の強度を変化させる工程が、
前記散乱中心と前記微小共振器との間の光結合を低下させることを更に含む、実施形態１３に記載の方法。
［実施形態１６］
散乱中心と前記微小共振器との間の光結合の強度を変化させる工程が、
前記散乱中心の屈折率を変えることを更に含む、実施形態１３に記載の方法。
［実施形態１７］
前記散乱中心が、共振器のコア内に埋め込まれた様々な屈折率の領域である、実施形態１６に記載の方法。
［実施形態１８］
前記散乱中心が、粒子を含む、実施形態１３に記載のシステム。
［実施形態１９］
前記散乱中心が、ナノ粒子である、実施形態１８に記載の方法。
［実施形態２０］
前記ナノ粒子が、金属ナノ粒子、半導体ナノ粒子、又は誘電体ナノ粒子である、実施形態１９に記載のシステム。
［実施形態２１］
前記微小共振器の第２導波光学モードが、前記微小共振器の共振モードである、実施形態１に記載の方法。
［実施形態２２］
前記微小共振器の第１導波光学モード及び第２導波光学モードが、実質的に同じ波長を有する、実施形態１に記載の方法。
［実施形態２３］
前記第１共振導波光学モード及び第２導波光学モードが、同じ波長を有する、実施形態１に記載の方法。
［実施形態２４］
散乱中心の検出方法であって、
光源と、
１つ以上のバス導波路であって、前記光源と光通信する入力ポートを有する第１のバス導波路を備える１つ以上のバス導波路と、
前記１つ以上のバス導波路に光結合した微小共振器と、
前記微小共振器と光結合が可能である散乱中心と
を備える光学的検知システムを提供する工程と、
前記微小共振器の少なくとも第１共振導波光学モードを前記光源で励起させる工程と、
前記散乱中心と前記微小共振器との間の光結合の強度を変化させて、前記微小共振器の前記第１モードと少なくとも第２導波光学モードとの間の光散乱における変化を誘発する工程と、
前記第１モードから前記第２モードへのエネルギーの移動における変化を検出する工程とを含む、方法。
［実施形態２５］
エネルギーの移動における変化を検出する工程が、前記入力ポートで前記第２モードを検出することを含む、実施形態２４に記載の方法。
［実施形態２６］
エネルギーの移動における変化を検出する工程が、
光サーキュレータを前記入力ポートと光通信するように配置することを含み、前記光サーキュレータが、前記第２モードの検出器との光結合を可能にする、実施形態２５に記載の方法。
［実施形態２７］
エネルギーの移動における変化を検出する工程が、
光スプリッタを前記入力ポートと光通信するように配置することを含み、前記光スプリッタが、前記第２モードの検出器との光結合を可能にする、実施形態２５に記載の方法。
［実施形態２８］
前記１つ以上のバス導波路が、ドロップポート及びドロップ２ポートを有する第２のバス導波路を更に備え、前記ドロップポートが、主に前記第１の導波光学モードに光結合可能であり、前記ドロップ２ポートが、主に前記第２の導波光学モードに光結合可能であり、
前記エネルギーの移動における変化を検出する工程が、前記ドロップ２ポートで前記第２の導波光学モードを検出することを含む、実施形態２４に記載の方法。
［実施形態２９］
前記第１モードと前記第２モードとの間のエネルギーの移動における変化を検出する工程が、前記微小共振器の中心で誘発散乱を検出することを含む、実施形態２４に記載の方法。
［実施形態３０］
被検物質の検出方法であって、
光散乱中心を有する被検物質種を標識する工程と、
光源と、
１つ以上のバス導波路であって、前記光源と光通信する入力ポートを有する第１のバス導波路を備える１つ以上のバス導波路と、
前記１つ以上のバス導波路と光結合し、前記被検物質と化学的に特異的結合可能な表面を有する微小共振器と
を備える光学的検知システムを提供する工程と、
前記微小共振器の少なくとも第１共振導波光学モードを前記光源で励起させる工程と、
前記微小共振器の表面を前記標識された被検物質種にさらす工程と、
前記微小共振器の前記第１モードから少なくとも第２導波光学モードへの光散乱における変化を誘発する工程と、
光散乱おける変化を検出する工程とを含む、方法。
［実施形態３１］
光散乱における変化が、前記共振器の前記第２導波光学モードから前記１つ以上のバス導波路に結合された光の強度における変化を検出することにより検出される、実施形態３０に記載の方法。
［実施形態３２］
前記散乱中心が、ナノ粒子である、実施形態３０に記載の方法。
［実施形態３３］
前記ナノ粒子が、金属である、実施形態３２に記載の方法。
【手続補正２】
【補正対象書類名】特許請求の範囲
【補正対象項目名】全文
【補正方法】変更
【補正の内容】
【特許請求の範囲】
【請求項１】
微小共振器の２つの導波光学モードの間の光散乱の検出方法であって、
光源と、
１つ以上のバス導波路であって、前記光源と光通信する入力ポートを有する第１のバス導波路を備える前記１つ以上のバス導波路と、
前記１つ以上のバス導波路に光結合した微小共振器と
を備える光学的検知システムを提供する工程と、
前記微小共振器の少なくとも第１共振導波光学モードを前記光源で励起させる工程と、
前記微小共振器の第１共振導波光学モードから少なくとも第２導波光学モードへの光散乱における変化を誘発する工程であって、前記第２モードが前記第１モードとは異なる工程と、
光散乱における変化を検出する工程とを含む、方法。
【請求項２】
前記１つ以上のバス導波路が、ドロップポート及びドロップ２ポートを有する第２のバス導波路を更に含み、前記ドロップポートが、主に前記第１の導波光学モードに光結合可能であり、前記ドロップ２ポートが、主に前記第２の導波光学モードに光結合可能であり、
前記光散乱における変化を検出する工程が、前記ドロップ２ポートで前記第２の導波光学モードを検出することを含む、請求項１に記載の方法。
【請求項３】
前記第１導波光学モードから前記第２導波光学モードへの光散乱における変化を誘発する工程が、
散乱中心と前記微小共振器との間の光結合の強度の変化をさせることを更に含む、請求項１に記載の方法。
【請求項４】
散乱中心の検出方法であって、
光源と、
１つ以上のバス導波路であって、前記光源と光通信する入力ポートを有する第１のバス導波路を備える１つ以上のバス導波路と、
前記１つ以上のバス導波路に光結合した微小共振器と、
前記微小共振器と光結合が可能である散乱中心と
を備える光学的検知システムを提供する工程と、
前記微小共振器の少なくとも第１共振導波光学モードを前記光源で励起させる工程と、
前記散乱中心と前記微小共振器との間の光結合の強度を変化させて、前記微小共振器の前記第１モードと少なくとも第２導波光学モードとの間の光散乱における変化を誘発する工程と、
前記第１モードから前記第２モードへのエネルギーの移動における変化を検出する工程とを含む、方法。